【事件の表示】
　特願２０１２−５４８３２５「ＵＥの多重搬送波に対するサポート能力の情報の伝送方法及び伝送システム」拒絶査定不服審判事件〔平成２３年　７月２１日国際公開、ＷＯ２０１１／０８５６０８、平成２５年　５月１６日国内公表、特表２０１３−５１７６５１〕について、次のとおり審決する。
【結　論】
　本件審判の請求は、成り立たない。
【理　由】
第１．手続の経緯
　本願は、２０１０年（平成２２年）１０月２９日（パリ条約による優先権主張外国庁受理２０１０年１月１５日、中国）を国際出願日とする国際出願であって、平成２４年９月１８日付けで手続補正書が提出され、平成２５年１０月８日付けで拒絶理由が通知され、平成２６年１月２２日付けで手続補正書が提出され、同年２月２４日付けで拒絶査定がなされた。
　これに対して、平成２６年７月４日付けで拒絶査定不服審判の請求がなされるとともに、手続補正書が提出されたものである。
　
　
　
第２．平成２６年７月４日付けの手続補正書による補正についての補正却下の決定 
［補正却下の決定の結論］  
　平成２６年７月４日付けの手続補正書による補正（以下、「本件補正」と呼ぶ。）を却下する。  
　
［理由］ 
１．平成２６年７月４日付けの手続補正書の補正の内容  
　本件補正は、平成２６年１月２２日付け手続補正書の特許請求の範囲の記載を、本件補正後の特許請求の範囲の記載に変更するものであって、その本件補正前の特許請求の範囲、及び、本件補正後の特許請求の範囲の記載は、それぞれ、以下のとおりである（なお、下線は請求人が付与した。）。
　
＜本件補正前の特許請求の範囲＞
「【請求項１】
　端末（ＵＥ：Ｕｓｅｒ　Ｅｑｕｉｐｍｅｎｔ）の多重搬送波に対するサポート能力の情報の伝送方法であって、
　ＵＥが多重搬送波をサポートする場合、前記ＵＥが、前記ＵＥ自身の多重搬送波に対するサポート能力の情報を含むメッセージを送信し、
　前記ＵＥが、前記ＵＥ自身の多重搬送波に対するサポート能力の情報を含むメッセージを送信するステップは、
　無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し、
　前記ＵＥが多重搬送波をサポートする場合、前記指標情報要素を含むＲＲＣ　Ｃｏｎｎｅｃｔｉｏｎ　Ｒｅｑｕｅｓｔメッセージを送信する
　ことを特徴とする伝送方法。
【請求項２】
　前記ＵＥが、前記ＵＥ自身の多重搬送波に対するサポート能力の情報を含むメッセージを送信するステップは、
　Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
　前記ＵＥが多重搬送波をサポートする場合、前記拡張された情報要素を含むＲＲＣ　Ｃｏｎｎｅｃｔｉｏｎ　Ｒｅｑｕｅｓｔメッセージを送信する
　ことを特徴とする請求項１に記載の伝送方法。
【請求項３】
　前記ＵＥが、前記ＵＥ自身の多重搬送波に対するサポート能力の情報を含むメッセージを送信するステップは、
　高速ダウンリンク共有チャネル物理層カテゴリ（Ｈｉｇｈ　Ｓｐｅｅｄ−Ｄｏｗｎｌｉｎｋ　Ｓｈａｒｅｄ　ＣＨａｎｎｅｌ（ＨＳ−ＤＳＣＨ）　ｐｈｙｓｉｃａｌ　ｌａｙｅｒ　ｃａｔｅｇｏｒｙ）のレベルを拡張して、ＵＥの多重搬送波に対するサポート能力のレベルを追加し、
　前記ＵＥが多重搬送波をサポートする場合、前記拡張されたＨＳ−ＤＳＣＨ　ｐｈｙｓｉｃａｌ　ｌａｙｅｒ　ｃａｔｅｇｏｒｙを含む無線リソース制御接続確立完了（ＲＲＣ　Ｃｏｎｎｅｃｔｉｏｎ　Ｓｅｔｕｐ　Ｃｏｍｐｌｅｔｅ）メッセージ又はＵＥ能力情報（ＵＥ　Ｃａｐａｂｉｌｉｔｙ　Ｉｎｆｏｒｍａｔｉｏｎ）メッセージを送信する
　ことを特徴とする請求項１に記載の伝送方法。
【請求項４】
　前記ＵＥが、前記ＵＥ自身の多重搬送波に対するサポート能力の情報を含むメッセージを送信するステップは、
　アクセス層リリースインジケーター（Ａｃｃｅｓｓ　ｓｔｒａｔｕｍ　ｒｅｌｅａｓｅ　ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
　前記ＵＥが多重搬送波をサポートする場合、前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信する
　ことを特徴とする請求項１に記載の伝送方法。
【請求項５】
　前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信するステップは、
　前記Ａｃｃｅｓｓ　ｓｔｒａｔｕｍ　ｒｅｌｅａｓｅ　ｉｎｄｉｃａｔｏｒ情報要素の値がＲ８であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク二重搬送波に対するサポート能力を持つことを示し、
　前記Ａｃｃｅｓｓ　ｓｔｒａｔｕｍ　ｒｅｌｅａｓｅ　ｉｎｄｉｃａｔｏｒ情報要素の値がＲ１０であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい
　ことを特徴とする請求項４に記載の伝送方法。
【請求項６】
　端末（ＵＥ：Ｕｓｅｒ　Ｅｑｕｉｐｍｅｎｔ）であって、
　ＵＥが多重搬送波をサポートする場合、前記ＵＥ自身の多重搬送波に対するサポート能力の情報を含むメッセージを送信し、
　前記ＵＥは、さらに、
　無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し、
　前記ＵＥが多重搬送波をサポートする場合、前記指標情報要素を含むＲＲＣ　Ｃｏｎｎｅｃｔｉｏｎ　Ｒｅｑｕｅｓｔメッセージを送信する
　ことを特徴とするＵＥ。
【請求項７】
　前記ＵＥは、さらに、
　Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
　前記ＵＥが多重搬送波をサポートする場合、前記拡張された情報要素を含むＲＲＣ　Ｃｏｎｎｅｃｔｉｏｎ　Ｒｅｑｕｅｓｔメッセージを送信する
　ことを特徴とする請求項６に記載のＵＥ。
【請求項８】
　前記ＵＥは、さらに、
　高速ダウンリンク共有チャネル物理層カテゴリ（Ｈｉｇｈ　Ｓｐｅｅｄ−Ｄｏｗｎｌｉｎｋ　Ｓｈａｒｅｄ　ＣＨａｎｎｅｌ（ＨＳ−ＤＳＣＨ）　ｐｈｙｓｉｃａｌ　ｌａｙｅｒ　ｃａｔｅｇｏｒｙ）のレベルを拡張して、ＵＥの多重搬送波に対するサポート能力のレベルを追加し、
　前記ＵＥが多重搬送波をサポートする場合、前記拡張されたＨＳ−ＤＳＣＨ　ｐｈｙｓｉｃａｌ　ｌａｙｅｒ　ｃａｔｅｇｏｒｙを含む無線リソース制御接続確立完了（ＲＲＣ　Ｃｏｎｎｅｃｔｉｏｎ　Ｓｅｔｕｐ　Ｃｏｍｐｌｅｔｅ）メッセージ又はＵＥ能力情報（ＵＥ　Ｃａｐａｂｉｌｉｔｙ　Ｉｎｆｏｒｍａｔｉｏｎ）メッセージを送信する
　ことを特徴とする請求項６に記載のＵＥ。
【請求項９】
　前記ＵＥは、さらに、
　アクセス層リリースインジケーター（Ａｃｃｅｓｓ　ｓｔｒａｔｕｍ　ｒｅｌｅａｓｅ　ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
　前記ＵＥが多重搬送波をサポートする場合、前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信する　ことを特徴とする請求項６に記載のＵＥ。
【請求項１０】
　前記Ａｃｃｅｓｓ　ｓｔｒａｔｕｍ　ｒｅｌｅａｓｅ　ｉｎｄｉｃａｔｏｒ情報要素の値がＲ８であり、且つＲＲＣ　Ｃｏｎｎｅｃｔｉｏｎ　Ｒｅｑｕｅｓｔメッセージに、Ｒ８プロトコルにおけるＵＥの二重搬送波に対するサポート能力の情報要素が含まれる場合、前記ＵＥがダウンリンク二重搬送波に対するサポート能力を持つことを示し、
　前記Ａｃｃｅｓｓ　ｓｔｒａｔｕｍ　ｒｅｌｅａｓｅ　ｉｎｄｉｃａｔｏｒ情報要素の値がＲ１０であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい
　ことを特徴とする請求項９に記載のＵＥ。」
　
＜本件補正後の特許請求の範囲＞
「【請求項１】
　端末（ＵＥ：Ｕｓｅｒ　Ｅｑｕｉｐｍｅｎｔ）の多重搬送波に対するサポート能力の情報の伝送方法であって、
　ＵＥが多重搬送波をサポートする場合、前記ＵＥが、前記ＵＥ自身の多重搬送波に対するサポート能力の情報を含むメッセージを送信し、
　前記ＵＥが、前記ＵＥ自身の多重搬送波に対するサポート能力の情報を含むメッセージを送信するステップは、
　無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し、
　前記ＵＥが多重搬送波をサポートする場合、前記指標情報要素を含むＲＲＣ　Ｃｏｎｎｅｃｔｉｏｎ　Ｒｅｑｕｅｓｔメッセージを送信
し、
　
無線ネットワーク制御装置（ＲＮＣ：Ｒａｄｉｏ　Ｎｅｔｗｏｒｋ　Ｃｏｎｔｒｏｌｌｅｒ）が、前記ＵＥから受信された、前記ＵＥの多重搬送波に対するサポート能力の情報を含むメッセージを解析し、前記ＵＥの多重搬送波に対するサポート能力の情報を取得し、
　
前記ＲＮＣがＵＥの多重搬送波に対するサポート能力の情報を取得した後、さらに、前記ＲＮＣが、多重搬送波セルを利用してサービスを受信することを決定し、
　
前記ＲＮＣが、多重搬送波セルを利用してサービスを受信することを決定することは、
　
前記ＲＮＣが、ノードＢ（ＮｏｄｅＢ）に送信される無線リンク確立要求メッセージ又は無線リンク再構成要求メッセージに含められる補助搬送波セル情報を生成し、
　
ＵＥに送信される無線ベアラ確立メッセージ又は無線ベアラ再構成メッセージに含められる補助搬送波セル情報を生成することを含む
　ことを特徴とする伝送方法。
【請求項２】
　前記ＵＥが、前記ＵＥ自身の多重搬送波に対するサポート能力の情報を含むメッセージを送信するステップは、
　Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
　前記ＵＥが多重搬送波をサポートする場合、前記拡張された情報要素を含むＲＲＣ　Ｃｏｎｎｅｃｔｉｏｎ　Ｒｅｑｕｅｓｔメッセージを送信する
　ことを特徴とする請求項１に記載の伝送方法。
【請求項３】
　前記ＵＥが、前記ＵＥ自身の多重搬送波に対するサポート能力の情報を含むメッセージを送信するステップは、
　高速ダウンリンク共有チャネル物理層カテゴリ（Ｈｉｇｈ　Ｓｐｅｅｄ−Ｄｏｗｎｌｉｎｋ　Ｓｈａｒｅｄ　ＣＨａｎｎｅｌ（ＨＳ−ＤＳＣＨ）　ｐｈｙｓｉｃａｌ　ｌａｙｅｒ　ｃａｔｅｇｏｒｙ）のレベルを拡張して、ＵＥの多重搬送波に対するサポート能力のレベルを追加し、
　前記ＵＥが多重搬送波をサポートする場合、前記拡張されたＨＳ−ＤＳＣＨ　ｐｈｙｓｉｃａｌ　ｌａｙｅｒ　ｃａｔｅｇｏｒｙを含む無線リソース制御接続確立完了（ＲＲＣ　Ｃｏｎｎｅｃｔｉｏｎ　Ｓｅｔｕｐ　Ｃｏｍｐｌｅｔｅ）メッセージ又はＵＥ能力情報（ＵＥ　Ｃａｐａｂｉｌｉｔｙ　Ｉｎｆｏｒｍａｔｉｏｎ）メッセージを送信する
　ことを特徴とする請求項１に記載の伝送方法。
【請求項４】
　前記ＵＥが、前記ＵＥ自身の多重搬送波に対するサポート能力の情報を含むメッセージを送信するステップは、
　アクセス層リリースインジケーター（Ａｃｃｅｓｓ　ｓｔｒａｔｕｍ　ｒｅｌｅａｓｅ　ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
　前記ＵＥが多重搬送波をサポートする場合、前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信する
　ことを特徴とする請求項１に記載の伝送方法。
【請求項５】
　前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信するステップは、
　前記Ａｃｃｅｓｓ　ｓｔｒａｔｕｍ　ｒｅｌｅａｓｅ　ｉｎｄｉｃａｔｏｒ情報要素の値がＲ８であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク二重搬送波に対するサポート能力を持つことを示し、
　前記Ａｃｃｅｓｓ　ｓｔｒａｔｕｍ　ｒｅｌｅａｓｅ　ｉｎｄｉｃａｔｏｒ情報要素の値がＲ１０であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい
　ことを特徴とする請求項４に記載の伝送方法。
【請求項６】
　端末（ＵＥ：Ｕｓｅｒ　Ｅｑｕｉｐｍｅｎｔ）
の多重搬送波に対するサポート能力の情報の伝送システム
　ＵＥが多重搬送波をサポートする場合、前記ＵＥ自身の多重搬送波に対するサポート能力の情報を含むメッセージを送信し、
　前記ＵＥは、さらに、
　無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し、
　前記ＵＥが多重搬送波をサポートする場合、前記指標情報要素を含むＲＲＣ　Ｃｏｎｎｅｃｔｉｏｎ　Ｒｅｑｕｅｓｔメッセージを送信
し、
　
無線ネットワーク制御装置（ＲＮＣ：Ｒａｄｉｏ　Ｎｅｔｗｏｒｋ　Ｃｏｎｔｒｏｌｌｅｒ）が、前記ＵＥから受信された、前記ＵＥの多重搬送波に対するサポート能力の情報を含むメッセージを解析し、前記ＵＥの多重搬送波に対するサポート能力の情報を取得し、
　
前記ＲＮＣがＵＥの多重搬送波に対するサポート能力の情報を取得した後、さらに、前記ＲＮＣが、多重搬送波セルを利用してサービスを受信することを決定し、
　
前記ＲＮＣが、多重搬送波セルを利用してサービスを受信することを決定することは、
　
前記ＲＮＣが、ノードＢ（ＮｏｄｅＢ）に送信される無線リンク確立要求メッセージ又は無線リンク再構成要求メッセージに含められる補助搬送波セル情報を生成し、
　
ＵＥに送信される無線ベアラ確立メッセージ又は無線ベアラ再構成メッセージに含められる補助搬送波セル情報を生成することを含む
　ことを特徴とする
システム
【請求項７】
　前記ＵＥは、さらに、
　Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
　前記ＵＥが多重搬送波をサポートする場合、前記拡張された情報要素を含むＲＲＣ　Ｃｏｎｎｅｃｔｉｏｎ　Ｒｅｑｕｅｓｔメッセージを送信する
　ことを特徴とする請求項６に記載の
システム
【請求項８】
　前記ＵＥは、さらに、
　高速ダウンリンク共有チャネル物理層カテゴリ（Ｈｉｇｈ　Ｓｐｅｅｄ−Ｄｏｗｎｌｉｎｋ　Ｓｈａｒｅｄ　ＣＨａｎｎｅｌ（ＨＳ−ＤＳＣＨ）　ｐｈｙｓｉｃａｌ　ｌａｙｅｒ　ｃａｔｅｇｏｒｙ）のレベルを拡張して、ＵＥの多重搬送波に対するサポート能力のレベルを追加し、
　前記ＵＥが多重搬送波をサポートする場合、前記拡張されたＨＳ−ＤＳＣＨ　ｐｈｙｓｉｃａｌ　ｌａｙｅｒ　ｃａｔｅｇｏｒｙを含む無線リソース制御接続確立完了（ＲＲＣ　Ｃｏｎｎｅｃｔｉｏｎ　Ｓｅｔｕｐ　Ｃｏｍｐｌｅｔｅ）メッセージ又はＵＥ能力情報（ＵＥ　Ｃａｐａｂｉｌｉｔｙ　Ｉｎｆｏｒｍａｔｉｏｎ）メッセージを送信する
　ことを特徴とする請求項６に記載の
システム
【請求項９】
　前記ＵＥは、さらに、
　アクセス層リリースインジケーター（Ａｃｃｅｓｓ　ｓｔｒａｔｕｍ　ｒｅｌｅａｓｅ　ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
　前記ＵＥが多重搬送波をサポートする場合、前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信する
　ことを特徴とする請求項６に記載の
システム
【請求項１０】
　前記Ａｃｃｅｓｓ　ｓｔｒａｔｕｍ　ｒｅｌｅａｓｅ　ｉｎｄｉｃａｔｏｒ情報要素の値がＲ８であり、且つＲＲＣ　Ｃｏｎｎｅｃｔｉｏｎ　Ｒｅｑｕｅｓｔメッセージに、Ｒ８プロトコルにおけるＵＥの二重搬送波に対するサポート能力の情報要素が含まれる場合、前記ＵＥがダウンリンク二重搬送波に対するサポート能力を持つことを示し、
　前記Ａｃｃｅｓｓ　ｓｔｒａｔｕｍ　ｒｅｌｅａｓｅ　ｉｎｄｉｃａｔｏｒ情報要素の値がＲ１０であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい
　ことを特徴とする請求項９に記載の
システム
　
　すなわち、本件補正は、以下の補正を含んでいる。
（１）本件補正前の請求項１及び６において、
「　無線ネットワーク制御装置（ＲＮＣ：Ｒａｄｉｏ　Ｎｅｔｗｏｒｋ　Ｃｏｎｔｒｏｌｌｅｒ）が、前記ＵＥから受信された、前記ＵＥの多重搬送波に対するサポート能力の情報を含むメッセージを解析し、前記ＵＥの多重搬送波に対するサポート能力の情報を取得し、 
　前記ＲＮＣがＵＥの多重搬送波に対するサポート能力の情報を取得した後、さらに、前記ＲＮＣが、多重搬送波セルを利用してサービスを受信することを決定し、 
　前記ＲＮＣが、多重搬送波セルを利用してサービスを受信することを決定することは、 
　前記ＲＮＣが、ノードＢ（ＮｏｄｅＢ）に送信される無線リンク確立要求メッセージ又は無線リンク再構成要求メッセージに含められる補助搬送波セル情報を生成し、 
　ＵＥに送信される無線ベアラ確立メッセージ又は無線ベアラ再構成メッセージに含められる補助搬送波セル情報を生成することを含む」（以下、「補正１の付加事項」という。）ことを付加する補正（以下、「補正１」という。）。
　
（２）本件補正前の請求項６〜１０の末尾の記載が「端末」であったものを「システム」とするとともに、本件補正前の請求項６の「端末（ＵＥ：Ｕｓｅｒ　Ｅｑｕｉｐｍｅｎｔ）」なる記載を「端末（ＵＥ：Ｕｓｅｒ　Ｅｑｕｉｐｍｅｎｔ）の多重搬送波に対するサポート能力の情報の伝送システム」なる記載とする補正（以下、「補正２」という。）。
　
　
２．補正の根拠についての請求人の主張
　平成２６年７月４日付け審判請求書において、請求人は、補正の根拠について、
「３．補正の説明 
　補正後の請求項１及び請求項６に係る補正事項は、本願出願当初明細書の段落［００３８］〜［００４０］、［００６１］〜［００６２］等の記載に基づいており、新規事項の追加に該当するものではありません。なお、補正後の請求項６〜１０では、主題について、「端末（ＵＥ）」から「システム」に変更する補正を行っております。」
と主張している。
　
　
３．補正１について
３−１．新規事項の有無
（ア）願書に最初に添付された特許請求の範囲には、以下の事項が記載されている。
「【請求項１】
　端末（ＵＥ：Ｕｓｅｒ　Ｅｑｕｉｐｍｅｎｔ）の多重搬送波に対するサポート能力の情報の伝送方法であって、
　ＵＥが多重搬送波をサポートする場合、前記ＵＥが、前記ＵＥ自身の多重搬送波に対するサポート能力の情報を含むメッセージを送信する
　ことを特徴とする伝送方法。
【請求項２】
　前記ＵＥが、前記ＵＥ自身の多重搬送波に対するサポート能力の情報を含むメッセージを送信するステップは、
　無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し、
　前記ＵＥが多重搬送波をサポートする場合、前記指標情報要素を含むＲＲＣ　Ｃｏｎｎｅｃｔｉｏｎ　Ｒｅｑｕｅｓｔメッセージを送信する
　ことを特徴とする請求項１に記載の伝送方法。
【請求項３】
　前記ＵＥが、前記ＵＥ自身の多重搬送波に対するサポート能力の情報を含むメッセージを送信するステップは、
　Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
　前記ＵＥが多重搬送波をサポートする場合、前記拡張された情報要素を含むＲＲＣ　Ｃｏｎｎｅｃｔｉｏｎ　Ｒｅｑｕｅｓｔメッセージを送信する
　ことを特徴とする請求項１に記載の伝送方法。
【請求項４】
　前記ＵＥが、前記ＵＥ自身の多重搬送波に対するサポート能力の情報を含むメッセージを送信するステップは、
　高速ダウンリンク共有チャネル物理層カテゴリ（Ｈｉｇｈ　Ｓｐｅｅｄ−Ｄｏｗｎｌｉｎｋ　Ｓｈａｒｅｄ　ＣＨａｎｎｅｌ（ＨＳ−ＤＳＣＨ）　ｐｈｙｓｉｃａｌ　ｌａｙｅｒ　ｃａｔｅｇｏｒｙ）のレベルを拡張して、ＵＥの多重搬送波に対するサポート能力のレベルを追加し、
　前記ＵＥが多重搬送波をサポートする場合、前記拡張されたＨＳ−ＤＳＣＨ　ｐｈｙｓｉｃａｌ　ｌａｙｅｒ　ｃａｔｅｇｏｒｙを含む無線リソース制御接続確立完了（ＲＲＣ　Ｃｏｎｎｅｃｔｉｏｎ　Ｓｅｔｕｐ　Ｃｏｍｐｌｅｔｅ）メッセージ又はＵＥ能力情報（ＵＥ　Ｃａｐａｂｉｌｉｔｙ　Ｉｎｆｏｒｍａｔｉｏｎ）メッセージを送信する
　ことを特徴とする請求項１に記載の伝送方法。
【請求項５】
　前記ＵＥが、前記ＵＥ自身の多重搬送波に対するサポート能力の情報を含むメッセージを送信するステップは、
　アクセス層リリースインジケーター（Ａｃｃｅｓｓ　ｓｔｒａｔｕｍ　ｒｅｌｅａｓｅ　ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
　前記ＵＥが多重搬送波をサポートする場合、前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信する
　ことを特徴とする請求項１に記載の伝送方法。
【請求項６】
　前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信するステップは、
　前記Ａｃｃｅｓｓ　ｓｔｒａｔｕｍ　ｒｅｌｅａｓｅ　ｉｎｄｉｃａｔｏｒ情報要素の値がＲ８であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク二重搬送波に対するサポート能力を持つことを示し、
　前記Ａｃｃｅｓｓ　ｓｔｒａｔｕｍ　ｒｅｌｅａｓｅ　ｉｎｄｉｃａｔｏｒ情報要素の値がＲ１０であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい
　ことを特徴とする請求項５に記載の伝送方法。
【請求項７】
  端末（ＵＥ：Ｕｓｅｒ  Ｅｑｕｉｐｍｅｎｔ）の多重搬送波に対するサポート能力の情報の取得方法であって、
  無線ネットワーク制御装置（ＲＮＣ：Ｒａｄｉｏ  Ｎｅｔｗｏｒｋ  Ｃｏｎｔｒｏｌｌｅｒ）が、ＵＥから受信された、前記ＵＥの多重搬送波に対するサポート能力の情報を含むメッセージを解析し、
  前記ＵＥの多重搬送波に対するサポート能力の情報を取得する
  ことを特徴とする取得方法。
【請求項８】
  前記ＲＮＣがＵＥの多重搬送波に対するサポート能力の情報を取得した後、さらに、前記ＲＮＣが、多重搬送波セルを利用してサービスを受信することを決定し、
  前記ＲＮＣが、多重搬送波セルを利用してサービスを受信することを決定するステップは、
  前記ＲＮＣが、ノードＢ（ＮｏｄｅＢ）に送信される無線リンク確立要求メッセージ又は無線リンク再構成要求メッセージに含められる補助搬送波セル情報を生成し、
  ＵＥに送信される無線ベアラ確立メッセージ又は無線ベアラ再構成メッセージに含められる補助搬送波セル情報を生成する
  ことを特徴とする請求項７に記載の取得方法。
【請求項９】
　前記ＲＮＣは、サービスのサービス品質（ＱｏＳ：Ｑｕａｌｉｔｙ　ｏｆ　Ｓｅｒｖｉｃｅ）属性、ＵＥの多重搬送波に対するサポート能力及びセル能力に応じて、多重搬送波セルを利用してサービスを受信することを決定する
　ことを特徴とする請求項８に記載の取得方法。
【請求項１０】
　端末（ＵＥ：Ｕｓｅｒ　Ｅｑｕｉｐｍｅｎｔ）であって、
　ＵＥが多重搬送波をサポートする場合、前記ＵＥ自身の多重搬送波に対するサポート能力の情報を含むメッセージを送信する
　ことを特徴とするＵＥ。
【請求項１１】
　前記ＵＥは、さらに、
　無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し、
　前記ＵＥが多重搬送波をサポートする場合、前記指標情報要素を含むＲＲＣ　Ｃｏｎｎｅｃｔｉｏｎ　Ｒｅｑｕｅｓｔメッセージを送信する
　ことを特徴とする請求項１０に記載のＵＥ。
【請求項１２】
　前記ＵＥは、さらに、
　Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
　前記ＵＥが多重搬送波をサポートする場合、前記拡張された情報要素を含むＲＲＣ　Ｃｏｎｎｅｃｔｉｏｎ　Ｒｅｑｕｅｓｔメッセージを送信する
　ことを特徴とする請求項１０に記載のＵＥ。
【請求項１３】
　前記ＵＥは、さらに、
　高速ダウンリンク共有チャネル物理層カテゴリ（Ｈｉｇｈ　Ｓｐｅｅｄ−Ｄｏｗｎｌｉｎｋ　Ｓｈａｒｅｄ　ＣＨａｎｎｅｌ（ＨＳ−ＤＳＣＨ）　ｐｈｙｓｉｃａｌ　ｌａｙｅｒ　ｃａｔｅｇｏｒｙ）のレベルを拡張して、ＵＥの多重搬送波に対するサポート能力のレベルを追加し、
　前記ＵＥが多重搬送波をサポートする場合、前記拡張されたＨＳ−ＤＳＣＨ　ｐｈｙｓｉｃａｌ　ｌａｙｅｒ　ｃａｔｅｇｏｒｙを含む無線リソース制御接続確立完了（ＲＲＣ　Ｃｏｎｎｅｃｔｉｏｎ　Ｓｅｔｕｐ　Ｃｏｍｐｌｅｔｅ）メッセージ又はＵＥ能力情報（ＵＥ　Ｃａｐａｂｉｌｉｔｙ　Ｉｎｆｏｒｍａｔｉｏｎ）メッセージを送信する
　ことを特徴とする請求項１０に記載のＵＥ。
【請求項１４】
　前記ＵＥは、さらに、
　アクセス層リリースインジケーター（Ａｃｃｅｓｓ　ｓｔｒａｔｕｍ　ｒｅｌｅａｓｅ　ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
　前記ＵＥが多重搬送波をサポートする場合、前記Ａｃｃｅｓｓ　ｓｔｒａｔｕｍ　ｒｅｌｅａｓｅ　ｉｎｄｉｃａｔｏｒ情報要素と、Ｒ８プロトコルにおけるＵＥの二重搬送波に対するサポート能力の情報要素とを含むＲＲＣ　Ｃｏｎｎｅｃｔｉｏｎ　Ｒｅｑｕｅｓｔメッセージを送信する
　ことを特徴とする請求項１０に記載のＵＥ。
【請求項１５】
　前記Ａｃｃｅｓｓ　ｓｔｒａｔｕｍ　ｒｅｌｅａｓｅ　ｉｎｄｉｃａｔｏｒ情報要素の値がＲ８であり、且つＲＲＣ　Ｃｏｎｎｅｃｔｉｏｎ　Ｒｅｑｕｅｓｔメッセージに、Ｒ８プロトコルにおけるＵＥの二重搬送波に対するサポート能力の情報要素が含まれる場合、前記ＵＥがダウンリンク二重搬送波に対するサポート能力を持つことを示し、
　前記Ａｃｃｅｓｓ　ｓｔｒａｔｕｍ　ｒｅｌｅａｓｅ　ｉｎｄｉｃａｔｏｒ情報要素の値がＲ１０であり、且つＲＲＣ　Ｃｏｎｎｅｃｔｉｏｎ　ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい
　ことを特徴とする請求項１４に記載のＵＥ。
【請求項１６】
　無線ネットワーク制御装置（ＲＮＣ：Ｒａｄｉｏ　Ｎｅｔｗｏｒｋ　Ｃｏｎｔｒｏｌｌｅｒ）であって、
　ＵＥから受信された、前記ＵＥの多重搬送波に対するサポート能力の情報を含むメッセージを解析し、
　前記ＵＥの多重搬送波に対するサポート能力の情報を取得する
　ことを特徴とする無線ネットワーク制御装置。
【請求項１７】
　前記ＲＮＣは、さらに、ＵＥの多重搬送波に対するサポート能力を取得した後、多重搬送波セルを利用してサービスを受信することを決定し、
　前記ＲＮＣが、ＮｏｄｅＢに送信される無線リンク確立要求メッセージ又は無線リンク再構成要求メッセージに補助搬送波セル情報を含ませ、且つＵＥに送信される無線ベアラ確立メッセージ又は無線ベアラ再構成メッセージに補助搬送波セル情報を含ませる
　ことを特徴とする請求項１６に記載のＲＮＣ。
【請求項１８】
　前記ＲＮＣは、さらに、
　サービスのサービス品質（ＱｏＳ：Ｑｕａｌｉｔｙ　ｏｆ　Ｓｅｒｖｉｃｅ）属性、ＵＥの多重搬送波に対するサポート能力及びセル能力に応じて、多重搬送波セルを利用してサービスを受信することを決定する
　ことを特徴とする請求項１７に記載のＲＮＣ。」
　
（イ）願書に最初に添付された明細書の段落【００３８】〜【００４０】には、以下の事項が記載されている。
「【００３８】
　本発明に係る第１実施形態では、ＲＲＣ　Ｃｏｎｎｅｃｔｉｏｎ　Ｒｅｑｕｅｓｔメッセージに、ＵＥの多重搬送波に対するサポート能力を示するための、ＵＥの多重搬送波に対するサポート能力の指標情報要素を新規に追加する。当該指標情報要素は多重搬送波サポート（Ｍｕｌｔｉ　Ｃａｒｒｉｅｒ　Ｓｕｐｐｏｒｔ）情報要素であってもよい。そのプロトコルが表１に示されている。
　【００３９】　
　【００４０】
　図１に示すように、ＵＥが多重搬送波に対するサポート能力を持つ場合、ＵＥは、その値がＴＲＵＥに設定されたＭｕｌｔｉ　Ｃａｒｒｉｅｒ　Ｓｕｐｐｏｒｔ情報要素を含むＲＲＣ　Ｃｏｎｎｅｃｔｉｏｎ　Ｒｅｑｕｅｓｔメッセージを生成する。そして、ＵＥは、ＲＲＣ　Ｃｏｎｎｅｃｔｉｏｎ　ＲｅｑｕｅｓｔメッセージをＲＮＣに送信する。ＲＮＣは、受信されたＲＲＣ　Ｃｏｎｎｅｃｔｉｏｎ　Ｒｅｑｕｅｓｔメッセージを解析し、そしてメッセージにおけるＭｕｌｔｉ　Ｃａｒｒｉｅｒ　Ｓｕｐｐｏｒｔ情報要素に応じて、メッセージを送信したＵＥが多重搬送波をサポートする能力を持つことを認識することができる。」
　
（ウ）同段落【００６１】〜【００６２】には、以下の事項が記載されている。
「【００６１】
　また、ＲＮＣは、更に、ＵＥの多重搬送波に対するサポート能力の情報を取得した後、サービスのＱｏＳ属性、ＵＥの多重搬送波に対するサポート能力及びセル能力に応じて、多重搬送波セルを利用してサービスを受信するかどうかを判定する。
　【００６２】
　具体的には、ＲＮＣが、ＱｏＳ属性、ＵＥの多重搬送波に対するサポート能力及びセル能力に応じて、サービスが多重搬送波をサポートすると判定した場合、ＲＮＣは、ＮｏｄｅＢに送信される無線リンク確立要求メッセージ又は無線リンク再構成要求メッセージに補助搬送波セル情報を含ませる。また、ＲＮＣは、ＵＥに送信される無線ベアラ確立メッセージ又は無線ベアラ再構成メッセージに補助搬送波セル情報をませる。」
　
　そして、補正１の付加事項は、上記（イ）及び（ウ）の摘記事項に言及するまでもなく、上記（ア）で摘記したように、願書に最初に添付された特許請求の範囲の【請求項７】、【請求項８】に記載された事項である。
　このため、補正１は、願書に最初に添付された明細書、特許請求の範囲又は図面の記載の範囲内で行われた補正であるといえ、特許法第１７条の２第３項の規定を満たしている。
　
３−２．補正の目的
　補正１は、本件補正前の請求項１及び６に係る発明に対して、補正１の付加事項を付加するもの、すなわち、本件補正前の請求項１及び６に係る発明に対して、願書に最初に添付された特許請求の範囲の【請求項７】を引用する同【請求項８】に係る発明を付加する補正であるため、発明特定事項の直列的付加に該当する。
　しかしながら、補正１の付加事項は、無線ネットワーク制御装置（ＲＮＣ：Ｒａｄｉｏ  Ｎｅｔｗｏｒｋ  Ｃｏｎｔｒｏｌｌｅｒ）を限定する事項であるが、該無線ネットワーク制御装置は、本件補正前の請求項１に記載された事項、すなわち、特許法第１７条の２第５項第２号で規定する「発明を特定するための事項」でないため、補正１が補正前の請求項に記載された発明の発明特定事項の限定に該当しない。
　このため、補正１は、特許法第１７条の２第５項第２号に規定する特許請求の範囲の減縮を目的とする補正にあたらない。
　
　また、補正１が特許法第１７条の２第５項第１号、第３号或いは第４号が規定する、請求項の削除、誤記の訂正或いは明りょうでない記載の釈明を目的とする補正のいずれにもあたらない。
　
　してみると、補正１は、特許法第１７条の２第５項各号の規定の何れを目的とする補正であるとはいえない。
　
３−３．まとめ
　補正１は、特許法第１７条の２第５項各号の規定の何れを目的とする補正であるとはいえないため、特許法第１７条の２第５項の規定に違反する。
　
　
４．補正２について
４−１．新規事項の有無
（エ）願書に最初に添付された特許請求の範囲には、以下の事項が記載されている。
「【発明の詳細な説明】
【技術分野】
【０００１】
  本発明は、ネットワーク通信における多重搬送波技術に関し、特に、ＵＥの多重搬送波に対するサポート能力の情報の伝送方法及び伝送システムに関する。」
　
　上記（エ）で摘記した事項からみて、「システム」及び「ＵＥの多重搬送波に対するサポート能力の情報の伝送システム」が、願書に最初に添付された明細書に記載された事項であるといえる。
　このため、補正２は、願書に最初に添付された明細書、特許請求の範囲又は図面の記載の範囲内で行われた補正であるといえ、特許法第１７条の２第３項の規定を満たしている。
　
４−２．補正の目的
　補正２において、本件補正前の請求項６〜１０の末尾の記載が「端末」であったものを「システム」とするとともに、本件補正前の請求項６の「端末（ＵＥ：Ｕｓｅｒ　Ｅｑｕｉｐｍｅｎｔ）」なる記載を「端末（ＵＥ：Ｕｓｅｒ　Ｅｑｕｉｐｍｅｎｔ）の多重搬送波に対するサポート能力の情報の伝送システム」なる記載とする補正は、上記「２．補正の根拠についての請求人の主張」において、請求人が主張しているように、請求項６〜１０に係る発明の主題を変更する補正である。
　補正２のように発明の主題を変更する補正が、請求項の削除、特許請求の範囲の減縮、誤記の訂正或いは明りょうでない記載の釈明のいずれにもあたらないことは明らかである。
　
　してみると、補正２は、特許法第１７条の２第５項各号の規定の何れを目的とする補正であるとはいえない。
　
４−３．まとめ
　補正２は、特許法第１７条の２第５項各号の規定の何れを目的とする補正であるとはいえないため、特許法第１７条の２第５項の規定に違反する。
　
　
５．むすび
　よって、補正１及び２は特許法第１７条の２第５項の規定に違反するので、本件補正は、特許法第１５９条第１項において読み替えて準用する特許法第５３条第１項の規定により却下すべきものである。
　
　
　
第３．本願発明について
１．本願発明
　平成２６年７月４日付けの手続補正は上記のとおり却下されたので、本願の請求項１〜１０係る発明は、平成２６年１月２２日付け手続補正書の特許請求の範囲の請求項１〜１０に記載された事項により特定されるものであるところ、その請求項１に係る発明（以下、「本願発明」という）は、次のとおりのものである。
　
「【請求項１】
　端末（ＵＥ：Ｕｓｅｒ　Ｅｑｕｉｐｍｅｎｔ）の多重搬送波に対するサポート能力の情報の伝送方法であって、
　ＵＥが多重搬送波をサポートする場合、前記ＵＥが、前記ＵＥ自身の多重搬送波に対するサポート能力の情報を含むメッセージを送信し、
　前記ＵＥが、前記ＵＥ自身の多重搬送波に対するサポート能力の情報を含むメッセージを送信するステップは、
　無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し、
　前記ＵＥが多重搬送波をサポートする場合、前記指標情報要素を含むＲＲＣ　Ｃｏｎｎｅｃｔｉｏｎ　Ｒｅｑｕｅｓｔメッセージを送信する
　ことを特徴とする伝送方法。」
　
　
２．引用文献
　原査定の拒絶の理由で引用された中国特許出願公開第１７４１６７４号明細書（以下、「引用文献」という。）には、図面とともに以下の記載がなされている（なお、当審訳の下線は当審が付与した。）。
　
（ア）「
　」（公報第８頁（説明書第４頁）第４行目〜第１９行目）
（当審訳）
　「　相対的に、
本発明におけるユーザ装置のマルチキャリア周波数能力を取得するための方法は、以下を含んでいてもよい：
　
ａ、ユーザ装置の能力メッセージの内容を拡張し、ユーザ装置のマルチキャリア周波数能力パラメータを追加する
　
ｂ、ユーザ装置は、無線ネットワークコントローラに、前記拡張された能力メッセージを送信する
　ｃ、無線ネットワークコントローラは、前記拡張された能力メッセージに基づいて、ユーザ装置のマルチキャリア周波数能力を判断する。
　
　好ましくは、
ステップａにおける前記「ユーザ装置の能力メッセージの内容を拡張する」とは、以下のようなオプション方式を用いることが良い
　
ｓ１、ユーザ装置能力メッセージの既存セルにおいて、マルチキャリア周波数能力パラメータ情報を追加する
　ｓ２、ユーザ装置能力メッセージにおいて、マルチキャリア周波数能力を表す新しいマルチキャリア周波数能力パラメータセルを追加する。
　
　好ましくは、
前記「ユーザ装置能力メッセージ」とは、以下であるとよい
　
ユーザ装置が無線リソース制御接続を確立するプロセスにおいて、ユーザ装置から報告された無線リソース制御接続要求メッセージ
　ネットワークがユーザ装置の能力を照合するプロセスにおいて、ユーザ装置から報告されたユーザ装置能力情報メッセージ； または
　サービング無線ネットワークコントローラの再配置プロセスにおいて、ソース無線ネットワークコントローラが目標無線ネットワークコントローラに送信した再配置要求メッセージ。」
　
（イ）「
　」（公報第９頁（説明書第５頁）第４行目〜第１１行目）
（当審訳）
　「　好ましくは、ステップｃは、以下を含んでいることがよい：
　
ｃ１、無線ネットワークコントローラは、ユーザ装置から報告された能力メッセージにおけるマルチキャリア周波数能力パラメータが、マルチキャリア周波数をサポートできるか否かを判断する
　
　好ましくは、ステップｃ０は、また以下を含んでいることがよい：
　無線ネットワークコントローラは、まず、ユーザ装置から報告された能力メッセージに、マルチキャリア周波数能力パラメータが含まれているか否かを検出する；マルチキャリア周波数能力パラメータが含まれていなかった場合、ユーザ装置がマルチキャリア周波数をサポートできないと判定し、マルチキャリア周波数能力パラメータが含まれていた場合、引き続きステップｃ１を実行するものとする
　
（ウ）「
　」（公報第１５頁（説明書第１１頁）第３行目〜第８行目）
（当審訳）
　「　以下に、
ユーザ装置メッセージを修正するための第２の方式、すなわちユーザ装置能力メッセージにおいてマルチキャリア周波数能力を表す新規のマルチキャリア周波数能力パラメータセルを追加するという方式
　
　
ユーザ装置が無線リソース制御接続を確立するプロセスにおいて、ユーザ装置により報告された無線リソース制御接続要求メッセージについて、該RRC CONNECTION REQUEST（RRC接続要求）メッセージに、前記マルチキャリア周波数能力パラメータセルのメッセージ内容が追記／追加されている
（エ）「
　」（公報第１７頁（説明書第１３頁）下から第２行目〜公報第１８頁（説明書第１４頁）第１行目）
（当審訳）
　「　そのうち、
multiCarrierIndicator（マルチキャリアインジケータ）がsupport（サポート）として設定された場合、ＵＥはマルチキャリア周波数をサポートすることを意味する；そうでない場合、（ＵＥは、）マルチキャリア周波数をサポートしないことを意味する。ＵＥにより報告されたメッセージにmultiCaarrierIndicator（マルチキャリアインジケータ）セルが含まれていなかった場合、デフォルト（初期設定）では、ＵＥがマルチキャリア周波数をサポートしないことと認識することになっている
　
　してみると、上記（ア）〜（エ）の摘記事項を、技術常識に照らし合わせれば、引用文献には次の発明（以下、「引用発明」という。）が記載されている。
　
「　ユーザ装置のマルチキャリア周波数能力を取得するための方法であって、
　ユーザ装置の能力メッセージの内容を拡張し、ユーザ装置のマルチキャリア周波数能力パラメータを追加し、
　ユーザ装置は、無線ネットワークコントローラに、前記拡張された能力メッセージを送信し、
　ユーザ装置の能力メッセージの内容を拡張することは、ユーザ装置能力メッセージの既存セルにおいて、マルチキャリア周波数能力パラメータ情報を追加することであり、
　ユーザ装置能力メッセージは、ユーザ装置が無線リソース制御接続を確立するプロセスにおいて、ユーザ装置から報告された無線リソース制御接続要求メッセージであり、
　無線ネットワークコントローラは、マルチキャリア周波数能力パラメータが含まれていなかった場合、ユーザ装置がマルチキャリア周波数をサポートできないと判定する
　方法」
　
　
３．対比・判断
　引用発明は、「ユーザ装置のマルチキャリア周波数能力を取得するための方法であって」、「ユーザ装置は、無線ネットワークコントローラに、前記拡張された能力メッセージを送信し」ているとともに、「無線ネットワークコントローラは、マルチキャリア周波数能力パラメータが含まれていなかった場合、ユーザ装置がマルチキャリア周波数をサポートできないと判定」している。
　ここで、マルチキャリア周波数能力パラメータはユーザ装置の能力メッセージの拡張により追加されたパラメータであるから、マルチキャリア周波数能力パラメータはマルチキャリア周波数に対するサポート能力の情報に対応するといいえる。
　してみると、引用発明は、本願発明と同様に、「端末（ＵＥ：Ｕｓｅｒ　Ｅｑｕｉｐｍｅｎｔ）の多重搬送波に対するサポート能力の情報の伝送方法」であるといえる。
　
　引用発明では、「ユーザ装置は、無線ネットワークコントローラに、前記拡張された能力メッセージを送信し」、「無線ネットワークコントローラは、マルチキャリア周波数能力パラメータが含まれていなかった場合、ユーザ装置がマルチキャリア周波数をサポートできないと判定」している。
　ここで、引用発明のこれらの動作事項からみて、ユーザ端末は、マルチキャリア周波数をサポートする場合には、すくなくとも、マルチキャリア周波数能力パラメータが含む拡張された能力メッセージを送信すると解するのが妥当である。
　そして、マルチキャリア周波数をサポートする場合のマルチキャリア周波数能力パラメータは、ＵＥ自身の多重搬送波に対するサポート能力の情報に対応するといいえる。
　してみると、引用発明は、本願発明と同様に、「ＵＥが多重搬送波をサポートする場合、前記ＵＥが、前記ＵＥ自身の多重搬送波に対するサポート能力の情報を含むメッセージを送信し」ているといえる。
　
　引用発明では、「ユーザ装置の能力メッセージの内容を拡張することは、ユーザ装置能力メッセージの既存セルにおいて、マルチキャリア周波数能力パラメータ情報を追加することであ」るとともに、「ユーザ装置能力メッセージは、ユーザ装置が無線リソース制御接続を確立するプロセスにおいて、ユーザ装置から報告された無線リソース制御接続要求メッセージであ」る。
　ここで、「ユーザ装置の能力メッセージの内容を拡張することは、ユーザ装置能力メッセージの既存セルにおいて、マルチキャリア周波数能力パラメータ情報を追加することであ」ることは、ＵＥの多重搬送波に対するサポート能力の指標情報要素を新規に設定することに対応する。
　また、無線リソース制御接続要求メッセージは、無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに他ならない。
　してみると、引用発明は、本願発明と同様に、「前記ＵＥが、前記ＵＥ自身の多重搬送波に対するサポート能力の情報を含むメッセージを送信するステップ」は、「無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し」、「前記ＵＥが多重搬送波をサポートする場合、前記指標情報要素を含むＲＲＣ　Ｃｏｎｎｅｃｔｉｏｎ　Ｒｅｑｕｅｓｔメッセージを送信する」ことであるといえる。
　
　以上のことから、本願発明と引用発明とは、以下の点で一致し、相違する点はない。
　
＜一致点＞
「　端末（ＵＥ：Ｕｓｅｒ　Ｅｑｕｉｐｍｅｎｔ）の多重搬送波に対するサポート能力の情報の伝送方法であって、
　ＵＥが多重搬送波をサポートする場合、前記ＵＥが、前記ＵＥ自身の多重搬送波に対するサポート能力の情報を含むメッセージを送信し、
　前記ＵＥが、前記ＵＥ自身の多重搬送波に対するサポート能力の情報を含むメッセージを送信するステップは、
　無線リソース制御接続要求（Ｒａｄｉｏ　Ｒｅｓｏｕｒｃｅ　Ｃｏｎｔｒｏｌ（ＲＲＣ）　Ｃｏｎｎｅｃｔｉｏｎ　Ｒｅｑｕｅｓｔ）メッセージに、ＵＥの多重搬送波に対するサポート能力の指標情報要素を新規に設定し、
　前記ＵＥが多重搬送波をサポートする場合、前記指標情報要素を含むＲＲＣ　Ｃｏｎｎｅｃｔｉｏｎ　Ｒｅｑｕｅｓｔメッセージを送信する
　ことを特徴とする伝送方法。」
　
　以上から、本願発明はすべての点で引用発明と一致していることから、特許法第２９条第１項第３号の規定により、特許を受けることができない。
　
＜補足的判断＞
　また、たとえ相違部分があったとしても、その相違部分は、当業者が適宜採用しえた程度のもの、もしくは、実質的な相違とはいえない程度のものにすぎない。
　そして、本願発明の構成によってもたらされる効果は、引用発明から当業者ならば容易に予測することができる程度のものであって、格別のものとはいえない。
　
　このため、本願発明は、引用発明に基づいて当業者が容易に発明をすることができたものであり、特許法第２９条第２項の規定により特許を受けることができない。
　
　
４．請求人の主張についての検討
４−１．請求人の主張
　請求人は、本願発明と引用発明との差異について、「平成２６年１月２２日付け意見書」では、
「本願発明は、引用文献１に記載の発明と以下の点で異なっております。まず、適用されるシステムが異なります。引用文献１に記載の発明は、中国において自主的に研究されて提案された第三世代モバイル通信基準としてのＴＤ−ＳＣＤＭＡシステムに用いられるのに対して、本願発明は、国際基準組織３ＧＰＰで提案されたモバイル通信基準としてのＵＭＴＳシステムに用いられます。そして、情報要素の設計が異なります。引用文献１の場合、ＲＲＣ　ＣＯＮＮＥＣＴＩＯＮ　ＲＥＱＵＥＳＴメッセージまたはＵＥ　Ｒａｄｉｏ　ａｃｃｅｓｓ　ｃａｐａｂｉｌｉｔｙメッセージに新規に追加されたＭｕｌｔｉＣａｒｒｉｅｒ　Ｉｎｄｉｃａｔｏｒ情報要素がｓｕｐｐｏｒｔに設定されている場合、ＵＥが多重搬送波をサポートしていることが示されます。一方、上記情報要素がｎｏｔ−ｓｕｐｐｏｒｔに設定されている場合にはＵＥが多重搬送波をサポートしていないことが示されます。即ち、ＵＥが多重搬送波をサポートしていない場合でもその情報要素が必須の情報要素として必ずメッセージに含まれることになります。これに対して、本願発明の場合、新規に追加された情報要素はオプショナルな情報要素（ＯＰ）であり、この情報要素は必ずＲＲＣ　Ｃｏｎｎｅｃｔｉｏｎ　Ｒｅｑｕｅｓｔメッセージに含まれるとは限らず、ＵＥが多重搬送波をサポートしている場合にのみＲＲＣ　Ｃｏｎｎｅｃｔｉｏｎ　Ｒｅｑｕｅｓｔメッセージに含まれ、サポートしていない場合にはＲＲＣ　Ｃｏｎｎｅｃｔｉｏｎ　Ｒｅｑｕｅｓｔメッセージには含まれません。」
と主張し、
　「平成２６年７月４日付け審判請求書」では、
「本願発明は、引用文献１に記載の発明と以下の点で異なっております。引用文献１の場合、ＲＲＣ　ＣＯＮＮＥＣＴＩＯＮ　ＲＥＱＵＥＳＴメッセージに新規に追加されたＭｕｌｔｉＣａｒｒｉｅｒ　Ｉｎｄｉｃａｔｏｒ情報要素がｓｕｐｐｏｒｔに設定されている場合、ＵＥが多重搬送波をサポートしていることが示されます。一方、上記情報要素がｎｏｔ−ｓｕｐｐｏｒｔに設定されている場合にはＵＥが多重搬送波をサポートしていないことが示されます。即ち、ＵＥが多重搬送波をサポートしていない場合でもその情報要素が必須の情報要素として必ずメッセージに含まれることになります。これに対して、本願発明の場合、新規に追加された情報要素はオプショナルな情報要素（ＯＰ）であり、この情報要素は必ずＲＲＣ　Ｃｏｎｎｅｃｔｉｏｎ　Ｒｅｑｕｅｓｔメッセージに含まれるとは限らず、ＵＥが多重搬送波をサポートしている場合にのみＲＲＣ　Ｃｏｎｎｅｃｔｉｏｎ　Ｒｅｑｕｅｓｔメッセージに含まれ、サポートしていない場合にはＲＲＣ　Ｃｏｎｎｅｃｔｉｏｎ　Ｒｅｑｕｅｓｔメッセージには含まれません。すなわち、ＵＥが多重搬送波をサポートしておらず、情報要素がＲＲＣ　Ｃｏｎｎｅｃｔｉｏｎ　Ｒｅｑｕｅｓｔメッセージに含まれない場合、ＲＲＣ　Ｃｏｎｎｅｃｔｉｏｎ　Ｒｅｑｕｅｓｔメッセージは、拡張されない通常のＲＲＣ　Ｃｏｎｎｅｃｔｉｏｎ　Ｒｅｑｕｅｓｔメッセージとなります。通常のＲＲＣ　Ｃｏｎｎｅｃｔｉｏｎ　ＲｅｑｕｅｓｔがＵＥから送信される場合、無線リソースを節約することができます。 
　また、引用文献１には、本願発明に係る、ＲＮＣにおける具体的な処理については、記載されておりません。」と
主張している。
　
４−２．主張の検討
　しかしながら、本願発明と引用発明とでは適用されるシステムが異なっている旨の主張に関しては、本願発明では、適用されるシステムに関する特定はなされていないことから、該主張は本願発明に基づく主張ではなく、採用することはできない。
　仮に、このような差異があったとしても、ＴＤ−ＳＣＤＭＡシステムもＵＭＴＳシステムも３ＧＰＰに提案された周知なシステムであるから、引用発明におけるシステムを周知なシステムであるＵＭＴＳシステムとすることは、当業者であれば容易に推考し得る事項であり、上記「＜補足的判断＞」で記載したように、特許法第２９条第２項の規定により特許を受けることができない。
　
　「本願発明の場合、新規に追加された情報要素はオプショナルな情報要素（ＯＰ）であり、この情報要素は必ずＲＲＣ　Ｃｏｎｎｅｃｔｉｏｎ　Ｒｅｑｕｅｓｔメッセージに含まれるとは限ら」ないのに対して、引用発明では、「ＵＥが多重搬送波をサポートしていない場合でもその情報要素が必須の情報要素として必ずメッセージに含まれることにな」る点で相違する旨の主張に関しては、本願発明において、「新規に追加された情報要素はオプショナルな情報要素（ＯＰ）であり、この情報要素は必ずＲＲＣ　Ｃｏｎｎｅｃｔｉｏｎ　Ｒｅｑｕｅｓｔメッセージに含まれるとは限ら」ないことは特定されていないことから、該主張は本願発明に基づく主張ではなく、採用することはできない。
　仮に、該特定を本願発明が含んでいたとしても、引用発明では、「無線ネットワークコントローラは、マルチキャリア周波数能力パラメータが含まれていなかった場合、ユーザ装置がマルチキャリア周波数をサポートできないと判定する」ことから、引用発明に、本願発明との該主張のごとき相違は認めらない。
　
　よって、請求人の主張はいずれも、本願発明に基づく主張ではなく、採用することはできない。
　仮に該主張が本願発明に基づいた主張であったとしても、格別な差異を生じさせるものではない。
　
　
５．まとめ
　以上のとおり、本願発明は引用発明と同一のものであるから、特許法第２９条第１項第３号の規定により、特許を受けることができない。
　仮に本願発明は引用発明と同一のものでないとしても、本願発明は引用発明に基づいて当業者が容易に発明をすることができたものであるから、特許法第２９条第２項の規定により、特許を受けることができない。
　
　したがって、本願のその余の請求項に係る発明について検討するまでもなく、本願は拒絶されるべきものである。
　
　よって、結論のとおり審決する。